(57)【特許請求の範囲】
【請求項１】
屋内の複数の所定の位置における、無線通信機能を有する移動機の発する信号の受信感度を測定する測定手段と、
前記測定手段により測定された受信感度のうち、最大受信感度を測定した前記測定手段を検出する検出手段と、
前記検出手段の検出結果に対応して、最大受信感度を測定した前記測定手段の位置に設けられた表示装置に、所定の情報を提供する提供手段と
を備えることを特徴とする情報処理装置。
【請求項２】
前記測定手段は、電力を供給するコンセントに接続される電極を有するテーブルタップの形状をしている
ことを特徴とする請求項１に記載の情報処理装置。
【請求項３】
前記測定手段は、ダイバーシチ受信を行うアンテナを有する
ことを特徴とする請求項１に記載の情報処理装置。
【請求項４】
前記移動機の移動履歴を記憶することにより、前記移動機を管理する管理手段を
さらに備えることを特徴とする請求項１に記載の情報処理装置。
【請求項５】
前記提供手段は、前記管理手段が記録する移動履歴に対応して、所定の情報を提供する
ことを特徴とする請求項４に記載の情報処理装置。
【請求項６】
屋内の複数の所定の位置に設けられた測定手段により、前記位置のそれぞれにおける、無線通信機能を有する移動機の発する信号の受信感度を測定する測定ステップと、
前記測定手段により測定された受信感度のうち、最大受信感度を測定した前記測定手段を検出する検出ステップと、
前記検出ステップの検出結果に対応して、最大受信感度を測定した前記測定手段の位置に設けられた表示装置に、所定の情報を提供する提供ステップと
を含むことを特徴とする情報処理方法。
【請求項７】
屋内の複数の所定の位置に設けられた測定手段により、前記位置のそれぞれにおける、無線通信機能を有する移動機の発する信号の受信感度を測定する測定ステップと、
前記測定手段により測定された受信感度のうち、最大受信感度を測定した前記測定手段を検出する検出ステップと、
前記検出ステップの検出結果に対応して、最大受信感度を測定した前記測定手段の位置に設けられた表示装置に、所定の情報を提供する提供ステップと
を含む情報処理をコンピュータに実行させるプログラムが記録されている記録媒体。
【請求項８】
屋内に配置された親機からの無線の第１の信号を受信する第１の受信手段と、
前記屋内の任意の移動位置において、前記第１の受信手段が、前記親機からの第１の信号を受信したとき、前記屋内の複数の所定の位置に配置された受信装置であって、電灯線にそれぞれ接続され、前記電灯線を介する１つの命令に応じて、無線の第２の信号を受信する受信装置に対して無線の第２の信号を出力する出力手段と、
前記出力手段が出力した第２の信号の前記受信装置の受信感度であって、前記親機が前記電灯線を介して取得した受信感度に対応して、前記親機が無線で提供する情報を受信する第２の受信手段と
を備えることを特徴とする情報処理装置。
【請求項９】
屋内に配置された親機からの無線の第１の信号を受信する第１の受信ステップと、
前記屋内の任意の移動位置において、前記第１の受信ステップで、前記親機からの第１の信号を受信したとき、前記屋内の複数の所定の位置に配置された受信装置であって、電灯線にそれぞれ接続され、前記電灯線を介する１つの命令に応じて、無線の第２の信号を受信する受信装置に対して無線の第２の信号を出力する出力ステップと、
前記出力ステップで出力した第２の信号の前記受信装置の受信感度であって、前記親機が前記電灯線を介して取得した受信感度に対応して、前記親機が無線で提供する情報を受信する第２の受信ステップと
を備えることを特徴とする情報処理方法。
【請求項１０】
屋内に配置された親機からの無線の第１の信号を受信する第１の受信ステップと、
前記屋内の任意の移動位置において、前記第１の受信ステップで、前記親機からの第１の信号を受信したとき、前記屋内の複数の所定の位置に配置された受信装置であって、電灯線にそれぞれ接続され、前記電灯線を介する１つの命令に応じて、無線の第２の信号を受信する受信装置に対して無線の第２の信号を出力する出力ステップと、
前記出力ステップで出力した第２の信号の前記受信装置の受信感度であって、前記親機が前記電灯線を介して取得した受信感度に対応して、前記親機が無線で提供する情報を受信する第２の受信ステップと
を含む情報処理をコンピュータに実行させるプログラムが記録されている記録媒体。
【発明の詳細な説明】
【０００１】
【発明の属する技術分野】
本発明は、情報処理装置および方法、並びに記録媒体に関し、特に、無線通信機能を有する親機が、屋内の複数の位置で移動機の電波を測定することにより、屋内における移動機の位置を捕捉し、その位置に対応した情報を提供することを可能にする情報処理装置および方法、並びに記録媒体に関する。
【０００２】
【従来の技術】
無線通信機能を有する移動機の位置を捕捉する場合、位置単位として無線基地局を用いる方法が知られている。この方法を採用した位置捕捉システムについて、図１４を参照して説明する。
【０００３】
無線呼出基地局６、例えば、電話回線によるセルラ通信の呼出基地局は、各移動機３−１乃至３−３に対して、位置確認のための制御信号の発信を要求する。この信号は、電話回線７−４を介し、交換機４−２に出力される。
【０００４】
交換機４−２は、発信要求信号を、公衆通信網５を介して、交換機４−１に出力する。交換機４−１は、電話回線７−１乃至７−３を介して、発信要求信号を基地局１−１乃至１−３へ出力する。
【０００５】
基地局１−１乃至１−３は、ワイヤレス通信路８−１乃至８−３を介して、セル２−１乃至２−３内にある移動機３−１乃至３−３へ発信要求信号を出力する。移動機３−１乃至３−３は、発信要求に応答し、ワイヤレス通信路８−１乃至８−３を介して、基地局１−１乃至１−３に対し自己のIDを含む制御信号を出力する。
【０００６】
基地局１−１乃至１−３は、移動機３−１乃至３−３から制御信号を受信したとき、対応する応答信号を、発信要求信号の経路を逆に辿り、無線呼出基地局６に伝送する。無線呼出基地局６は、この応答信号を受信し、この応答信号から移動機３−１乃至３−３の現在の位置を判定する。
【０００７】
図１４に示した位置捕捉システムでは、無線呼出基地局６は、各基地局１−１乃至１−３のセル２−１乃至２−３単位での移動機３−１乃至３−３の位置捕捉ができる。このようにして各移動機の位置を確認しておき、例えば、移動機３−１が、基地局１−２のセル２−２内に位置する場合、無線呼出基地局６は、所定の発呼者から、移動機３−１に対する呼出信号が伝送されてきたとき、それを基地局１−２に伝送し、そこからさらに移動機３−１に伝送させる。
【０００８】
【発明が解決しようとする課題】
図１４に示した位置捕捉システムでは、無線呼出基地局６は、各基地局１−１乃至１−３のセル２−１乃至２−３単位での移動機３−１乃至３−３の位置捕捉ができる。しかしながら、セル２−１乃至２−３の内部における移動機３−１乃至３−３のより細かな位置捕捉が難しい課題があった。従って、屋内の単一セル内における位置捕捉への応用は困難である課題があった。
【０００９】
本発明はこのような状況に鑑みてなされたものであり、例えば屋内の任意の移動位置に位置する移動機に対して、その位置を捕捉し、その位置に対応した情報を提供することを可能にするものである。
【００１０】
【課題を解決するための手段】
請求項１に記載の情報処理装置は、屋内の複数の所定の位置における、無線通信機能を有する移動機の発する信号の受信感度を測定する測定手段と、前記測定手段により測定された受信感度のうち、最大受信感度を測定した前記測定手段を検出する検出手段と、前記検出手段の検出結果に対応して、最大受信感度を測定した前記測定手段の位置に設けられた表示装置に、所定の情報を提供する提供手段とを備えることを特徴とする。
【００１１】
請求項６に記載の情報処理方法は、屋内の複数の所定の位置に設けられた測定手段により、前記位置のそれぞれにおける、無線通信機能を有する移動機の発する信号の受信感度を測定する測定ステップと、前記測定手段により測定された受信感度のうち、最大受信感度を測定した前記測定手段を検出する検出ステップと、前記検出ステップの検出結果に対応して、最大受信感度を測定した前記測定手段の位置に設けられた表示装置に、所定の情報を提供する提供ステップとを備えることを特徴とする。
【００１２】
請求項７に記載の記録媒体は、屋内の複数の所定の位置に設けられた測定手段により、前記位置のそれぞれにおける、無線通信機能を有する移動機の発する信号の受信感度を測定する測定ステップと、前記測定手段により測定された受信感度のうち、最大受信感度を測定した前記測定手段を検出する検出ステップと、前記検出ステップの検出結果に対応して、最大受信感度を測定した前記測定手段の位置に設けられた表示装置に、所定の情報を提供する提供ステップとを含む情報処理をコンピュータに実行させるプログラムが記録されている。
【００１３】
請求項８に記載の情報処理装置は、屋内に配置された親機からの無線の第１の信号を受信する第１の受信手段と、前記屋内の任意の移動位置において、前記第１の受信手段が、前記親機からの第１の信号を受信したとき、前記屋内の複数の所定の位置に配置された受信装置であって、電灯線にそれぞれ接続され、前記電灯線を介する１つの命令に応じて、無線の第２の信号を受信する受信装置に対して無線の第２の信号を出力する出力手段と、前記出力手段が出力した第２の信号の前記受信装置の受信感度であって、前記親機が前記電灯線を介して取得した受信感度に対応して、前記親機が無線で提供する情報を受信する第２の受信手段とを備えることを特徴とする。
【００１４】
請求項９に記載の情報処理方法は、屋内に配置された親機からの無線の第１の信号を受信する第１の受信ステップと、前記屋内の任意の移動位置において、前記第１の受信ステップで、前記親機からの第１の信号を受信したとき、前記屋内の複数の所定の位置に配置された受信装置であって、電灯線にそれぞれ接続され、前記電灯線を介する１つの命令に応じて、無線の第２の信号を受信する受信装置に対して無線の第２の信号を出力する出力ステップと、前記出力ステップで出力した第２の信号の前記受信装置の受信感度であって、前記親機が前記電灯線を介して取得した受信感度に対応して、前記親機が無線で提供する情報を受信する第２の受信ステップとを備えることを特徴とする。
【００１５】
請求項１０に記載の記録媒体は、屋内に配置された親機からの無線の第１の信号を受信する第１の受信ステップと、前記屋内の任意の移動位置において、前記第１の受信ステップで、前記親機からの第１の信号を受信したとき、前記屋内の複数の所定の位置に配置された受信装置であって、電灯線にそれぞれ接続され、前記電灯線を介する１つの命令に応じて、無線の第２の信号を受信する受信装置に対して無線の第２の信号を出力する出力ステップと、前記出力ステップで出力した第２の信号の前記受信装置の受信感度であって、前記親機が前記電灯線を介して取得した受信感度に対応して、前記親機が無線で提供する情報を受信する第２の受信ステップとを含む情報処理をコンピュータに実行させるプログラムが記録されている。
【００１６】
請求項１に記載の情報処理装置、請求項６に記載の情報処理方法、および請求項７に記載の記録媒体においては、屋内の複数の所定の位置に設けられた測定手段により、前記位置のそれぞれにおける、無線通信機能を有する移動機の発する信号の受信感度が測定され、前記測定手段により測定された受信感度のうち、最大受信感度を測定した前記測定手段が検出され、検出結果に対応して、最大受信感度を測定した前記測定手段の位置に設けられた表示装置に、所定の情報が提供される。
【００１７】
請求項８に記載の情報処理装置、請求項９に記載の情報処理方法、および請求項１０に記載の記録媒体においては、屋内に配置された親機からの無線の第１の信号が受信され、前記屋内の任意の移動位置において、前記親機からの第１の信号が受信されたとき、前記屋内の複数の所定の位置に配置された受信装置であって、電灯線にそれぞれ接続され、前記電灯線を介する１つの命令に応じて、無線の第２の信号を受信する受信装置に対して無線の第２の信号が出力され、出力した第２の信号の前記受信装置の受信感度であって、前記親機が前記電灯線を介して取得した受信感度に対応して、前記親機が無線で提供する情報が受信される。
【００１８】
【発明の実施の形態】
以下に本発明の実施の形態を説明するが、特許請求の範囲に記載の発明の各手段と以下の実施の形態との対応関係を明らかにするために、各手段の後の括弧内に、対応する実施の形態（但し一例）を付加して本発明の特徴を記述すると、次のようになる。
【００１９】
請求項１に記載の情報処理装置は、屋内の複数の所定の位置における、無線通信機能を有する移動機の発する信号の受信感度を測定する測定手段（例えば、図１のセンサ２４−１乃至２４−８）と、前記測定手段により測定された受信感度のうち、最大受信感度を測定した前記測定手段を検出する検出手段（例えば、図４の測定結果処理部８６）と、前記検出手段の検出結果に対応して、最大受信感度を測定した前記測定手段の位置に設けられた表示装置に、所定の情報を提供する提供手段（例えば、図４の個別サービス構築部８７）とを備えることを特徴とする。
【００２０】
請求項４に記載の情報処理装置は、移動機の移動履歴を記憶することにより、移動機を管理する管理手段（例えば、図４のユーザ管理部８５）をさらに備えることを特徴とする。
【００２１】
請求項８に記載の情報処理装置は、屋内に配置された親機からの無線の第１の信号を受信する第１の受信手段（例えば、図５の通信部２０２）と、前記屋内の任意の移動位置において、前記第１の受信手段が、前記親機からの第１の信号を受信したとき、前記屋内の複数の所定の位置に配置された受信装置であって、電灯線にそれぞれ接続され、前記電灯線を介する１つの命令に応じて、無線の第２の信号を受信する受信装置（例えば、図１のセンサ２４−１乃至２４−８）に対して無線の第２の信号を出力する出力手段（例えば、図５のCPU２０５）と、前記出力手段が出力した第２の信号の前記受信装置の受信感度であって、前記親機が前記電灯線を介して取得した受信感度に対応して、前記親機が無線で提供する情報を受信する第２の受信手段（例えば、図５のインタフェース２０８）とを備えることを特徴とする。
【００２２】
以下、本発明を適用した情報処理システムについて説明する。なお、本明細書において、システムの用語は、複数の装置、手段などにより構成される全体的な装置を意味するものとする。まず、本発明を適用した情報処理システムの構成の家庭内における一実施の形態ついて、図１を参照して説明する。
【００２３】
この情報処理システムにおいては、家庭内にPHS（Personal Handy-Phone System)の親機２１が設けられている。従って、PHSで構成される移動機２３−１乃至２３−３は、家庭内のどの位置からも、ワイヤレス通信路２８−１乃至２８−３を介して親機２１と無線で通信することができるようになされている。
【００２４】
部屋２６−１乃至２６−８にはディスプレイ装置２７−１乃至２７−８が配置されている。そして、ディスプレイ装置２７−１乃至２７−８に対応して、センサ２４−１乃至２４−８が配置されている。センサ２４−１乃至２４−８、ディスプレイ装置２７−１乃至２７−８、並びに親機２１は、電灯線２５を介して信号を授受することができるように相互に接続されている。
【００２５】
図２は、センサ２４−１（センサ２４−２乃至２４−８も同様の形状とされている）の、外形形状を表している。同図に示すように、このセンサ２４−１は、電極４０−１，４０−２を有し、電極４０−１，４０−２を屋内コンセントに差し込むことにより、電灯線２５から電力が供給されるとともに、電灯線２５を介して親機２１と信号を授受することができるようになされている。
【００２６】
センサ２４−１は、全体がテーブルタップの形状をしているため、屋内配線のコンセントを占領してしまうこともなく、設置場所も大きなスペースを必要としない。また、センサ２４−１は、例えば、コンセントの場所から離れたところに設置する場合には壁から設置場所まで延長コードを用いればよいようになされている。
【００２７】
そして、センサ２４−１は、２個のアンテナ４１−１，４１−２を有し、移動機２３−１乃至２３−３の電波をダイバーシチ受信することができるようになされている。PHSの電波を受信する場合、アンテナ面の偏波特性にばらつきが大きいことが知られている。そのため、その影響を最小限に抑えるため、アンテナ４１−１，４１−２は、比較的偏波に強い受信手段であるヘリカルアンテナとされている。
【００２８】
次に、センサ２４−１（センサ２４−１乃至２４−８も、センサ２４−１と同様に構成されている）の内部の構成について、図３を参照して説明する。
【００２９】
２本のアンテナ４１−１，４１−２は、それぞれ、移動機２３−１乃至２３−３からの電波を受信し、受信信号を対応する受信感度測定装置６０−１，６０−２にそれぞれ出力するようになされている。受信感度測定装置６０−１，６０−２は受信感度を測定し、測定結果を比較器６１に出力する。比較器６１は、これらの信号のレベルの大きさを比較し、大きい値の方を選択する。
【００３０】
CPU６２は、ROM６５に記憶されているプログラムに従って、各種の処理を実行する。RAM６４は、CPU６２が各種の処理を行うとき必要とされるプログラムやデータを記憶する。通信装置６３は、電灯線２５を介して、親機２１との間で通信を行う。クロック発生回路６６は、クロックを発生し、各部に出力している。
【００３１】
次に、親機２１の内部の構成について、図４を参照して説明する。
【００３２】
PHS制御部８０は、アンテナ８１を介して、移動機２３−１乃至２３−３との間で無線通信を行うようになされている。PHS制御部８０は、また、電話回線８２を介して、外部との通信を行う。さらに、PHS制御部８０は、機器制御装置８４との間で、現在通信中の移動機２３−１乃至２３−３に関する各種データやプログラムのやり取りを行う。
【００３３】
通信回路８３は、電灯線２５を介して、センサ２４−１乃至２４−８との間で通信を行う。
【００３４】
機器制御装置８４のユーザ管理部８５は、移動機２３−１乃至２３−３の移動履歴を記憶する。測定結果処理部８６は、センサ２４−１乃至２４−８の出力する測定結果を処理する。個別サービス構築部８７は、ユーザ管理部８５が記憶する移動履歴に対応して、移動機２３−１乃至２３−３、およびディスプレイ装置２７−１乃至２７−８に情報を提供する。タイミング制御部８８は、センサ２４−１乃至２４−８へ向けてパルスを出力し、センサ２４−１乃至２４−８がすべて同じタイミングで測定を行うよう、測定のタイミングを制御する。
【００３５】
次に、移動機２３−１（移動機２３−２，２３−３も、移動機２３−１と同様に構成されている）の内部の構成について、図５を参照して説明する。
【００３６】
通信部２０２は、アンテナ２０１を介して、親機２１または所定の無線基地局との間で無線通信を行うようになされている。スピーカ２０３は、通信部２０２から入力された信号を音声に変換して外部に出力する。マイクロホン２０４は、外部から入力された音声を信号に変換し、これを通信部２０２に出力する。
【００３７】
CPU２０５は、ROM２０６に記憶されているプログラムに従って各種の処理を実行する。RAM２０７には、CPU２０５が各種の処理を実行する上において必要なデータ等が適宜記憶される。インタフェース２０８は、インタフェース処理を実行する。LCD２０９は、所定の文字、図形、または画像を表示するようになされている。入力部２１０は、CPU２０５に所定の指令を入力するときユーザにより適宜操作される。
【００３８】
次に、図６の制御シーケンスを参照して、この情報処理システムの動作を説明する。 最初にステップＳ１において、親機２１のタイミング制御部８８は、PHS制御部８０を制御し、アンテナ８１から無線で、移動機２３−１に対し制御信号の発信を要求する。移動機２３−１の通信部２０２は、アンテナ２０１を介してこの信号を受信すると、受信信号をCPU２０５に出力する。CPU２０５はこのとき、ステップＳ２において、通信部２０２を制御し、アンテナ２０１を介して無線で応答信号を出力させる。
【００３９】
親機２１のPHS制御部８０は、アンテナ８１を介してこの応答信号を受信したとき、その受信信号をタイミング制御部８８に出力する。タイミング制御部８８はこのとき、ステップＳ３において、各センサ２４−１乃至２４−８に対し、移動機２３−１の発する制御信号の受信感度測定命令を発信する。この命令は、通信回路８３から電灯線２５を介して各センサ２４−１乃至２４−８に供給される。この測定命令は、センサ２４−１乃至２４−８の通信装置６３で受信される。CPU６２は、通信装置６３から、この測定命令の受信信号の供給を受けると、比較器６１、および受信感度測定装置６０−１，６０−２を制御し、測定の準備を行わせる。
【００４０】
移動機２３−１のCPU２０５は、ステップＳ４において、通信部２０２を制御し、アンテナ２０１を介して、無線で、センサ２４−１乃至２４−８に対して制御信号を発信させる。親機２１のタイミング制御部８８は、移動機２３−１が制御信号を出力している期間において、ステップＳ５で、電灯線２５を介して、図７に示すような測定パルスを各センサ２４−１乃至２４−８に出力する。各センサ２４−１乃至２４−８のCPU６２は、ステップＳ６で、測定パルス１０１−１乃至１０１−xが到来したタイミング毎に、比較器６１および受信感度測定装置６０−１，６０−２に測定を実行させる。PHSの場合、バースト信号受信感度がタイミングによってばらつくことが知られている。そこで、この系においては、周期y毎に、x回の測定が行われるようになされている。
【００４１】
各センサ２４−１乃至２４−８のCPU６２は、x回の測定結果の平均値を演算し、演算結果を、ステップＳ７乃至Ｓ１４で、通信装置６３から電灯線２５を介して親機２１に出力する。図６の例の場合、センサ２４−４，２４−６，２４−２，２４−８，２４−３，２４−１，２４−７，２４−５の順番に測定結果が通知される。この順番は、タイミング制御部８８により設定され、各センサ２４−１乃至２４−８のRAM６４に予め記憶されている。親機２１の測定結果処理部８６は、ステップＳ１５で、各センサ２４−１乃至２４−８の出力のうち、最大のものを検出する。
【００４２】
親機２１の個別サービス構築部８７は、移動機２３−１が、最大感度を検出したセンサが存在する部屋２６−１乃至２６−８に位置するものとして、ステップＳ１６において、その位置に対応する情報を提供する。例えば、移動機２３−１に対して、外部から電話がかかってきたとき、そのことを表すメッセージが、そのとき移動機２３−１が位置する部屋２６−１乃至２６−８のディスプレイ装置２７−１乃至２７−８に電灯線２５を介して伝送され、表示される。
【００４３】
次に、図８のフローチャートを参照してセンサ２４−１乃至２４−８の動作をより詳細に説明する。
【００４４】
最初に、ステップＳ３１において、CPU６２は、タイミング制御部８８からの測定パルスに同期して測定処理を行うために、初期化を行い、ステップＳ３２において、測定パルスを受信したか否かを判定する。測定パルスを受信したと判定した場合には、CPU６２は、ステップＳ３３において、比較器６１および受信感度測定装置６０−１，６０−２に移動機２３−１からの電波を測定させる。
【００４５】
CPU６２は、ステップＳ３３において、タイミング制御部８８からの測定パルスに同期して測定を行った後、または、ステップＳ３２で測定パルスを検出していないと判定されたとき、ステップＳ３４に進み、測定を終了したか否か（測定をx回行ったか否か）の判定を行う。測定が終了していない（測定がx回行われていない）と判定された場合、ステップＳ３２に戻り、同様の処理が繰り返し実行される。ステップＳ３４で、測定が終了した（測定がx回行われた）と判定された場合、CPU６２は、ステップＳ３５に進み、測定を終了させる。なお、すべての測定結果は、RAM６４上の所定エリアに個別に記憶される。
【００４６】
このようにしてx回の測定が終了したとき、CPU６２は、移動機２３−１乃至２３−３（いまの場合、移動機２３−１）からのバースト信号として供給される制御信号の受信感度のばらつきをふまえ、測定値から極端な値を外した上で、ステップＳ３６で平均値を計算する。具体的には、すべての（x個の）測定値から最大値と最小値を除外し、その残りを加算した上で、（ｘ−２）で除算する。CPU６２は、ステップＳ３７で、この計算結果を、測定値として、親機２１の通信回路８３に、通信回路６３から通知させる。
【００４７】
このとき、通信装置６３は、この測定結果と、センサ２４−１乃至２４−８の自らのID、および電波を発した移動機２３−１のIDを含む制御信号を出力する。なお、例えば、ROM６５に、センサ２４−１乃至２４−８毎に異なる通信回路８３内の固定アドレスを予め記憶させておき、そのアドレスに向けて信号を出力する場合には、そのアドレスからセンサ２４−１乃至２４−８を特定することができるので、センサ２４−１乃至２４−８毎のIDは不要となる。
【００４８】
以上のようにして、センサ２４−１乃至２４−８により、移動機２３−１乃至２３−３の電波の受信感度が測定され、親機２１に通知される。
【００４９】
次に、親機２１で行われる動作の詳細について説明するが、まず、移動機の位置検出に関する動作（図６のステップＳ３，Ｓ５，Ｓ１５に対応する動作）について図９のフローチャートを参照して説明する。
【００５０】
最初にステップＳ５１（図６のステップＳ３に対応する）において、タイミング制御部８８は、通信回路８３および電灯線２５を介して、各センサ２４−１乃至２４−８の通信装置６３に向けて測定命令を発信し、さらに、ステップＳ５２（図６のステップＳ５に対応する）で、図７に示す測定パルスを出力する。その後、センサ２４−１乃至２４−８から回答があるまでステップＳ５３で待機する。回答があると判定された場合にはステップＳ５４に進み、通信回路８３が、図８のステップＳ３７（図６のステップＳ７乃至Ｓ１４に対応する）で各センサ２４−１乃至２４−８から順次出力された測定結果を受信する。
【００５１】
測定結果処理部８６は、通信回路８３から、この測定結果の供給を受けて、ステップＳ５５でエラーを検出する。そして、ステップＳ５６において、測定結果にエラーがあるか否かの判定を行う。エラーがあると判定された場合にはステップＳ５７に進み、エラーの存在する情報を検出し、ステップＳ５８でエラーを訂正する。その後はステップＳ５５に戻り、エラーがないと判定されるまで、それ以降の処理を繰り返し実行する。
【００５２】
例えば、エラー内容として、センサ２４−１乃至２４−８のうち、２つの異なるセンサが等しい測定値を通知していると判定されたとする。この場合、測定結果処理部８６は、電波を発した移動機２３−１のIDをユーザ管理部８５に転送し、その移動履歴を検索させる。そして、移動機２３−１乃至２３−３が、位置変更できない程度に短い時間（例えば、５秒）だけ前の位置を検出する。例えば、過去の位置が、同一の測定値を出力した２つのセンサの位置の一方には近いのに対して、他方には遠いと判定されたとする。このとき測定結果処理部８６は、過去の位置に近いと判定されたセンサの出力を残し、他方を破棄する。
【００５３】
ステップＳ５６においてエラーがないと判定された場合には、ステップＳ５９に進み、測定結果処理部８６は、その測定結果を記憶する。さらに、測定結果処理部８６は、ステップＳ６０において、このエラー訂正済の測定結果から、最大のものを１つ検出し、他のすべての測定結果をステップＳ６１で破棄する。これにより、センサ２４−１乃至２４−８からの測定結果のうち、最大受信感度を測定したもののみが残されることになる。
【００５４】
次のステップＳ６２において、測定結果処理部８６は、ステップＳ６０において採用された、電波を発した移動機２３−１のID、およびセンサ２４−１乃至２４−８のうちの、最大受信感度を測定したもののIDを含む制御信号を出力する。この制御信号は、ユーザ管理部８５に供給され、履歴として記憶されるとともに、個別サービス構築部８７に供給される。
【００５５】
次に、親機２１による、移動機２３−１への情報提供に関する動作（図６のステップＳ１６に対応する）の詳細について、図１０のフローチャートを参照して説明する。最初に、測定結果処理部８６が、図９のステップＳ６２で出力した制御信号が、ステップＳ８１において、ユーザ管理部８５に供給され、ステップＳ８２で履歴として記憶される。また、この制御信号は個別サービス構築部８７にも供給される。個別サービス構築部８７は、ステップＳ８３において、この信号から、移動機２３−１のID、および最大受信感度のセンサのIDを検出する。個別サービス構築部８７は、ステップＳ８４において、このIDのセンサが配置されている部屋と同一の部屋に設置されているディスプレイ装置のIDを検出する。
【００５６】
個別サービス構築部８７は、移動機２３−１が、最大感度を検出したセンサが存在する部屋に位置するものとして、ステップＳ８５（図６のステップＳ１６に対応する）において、その位置に対応する情報を提供する。
【００５７】
例えば、移動機２３−１に対して、外部から電話がかかってきたとき、そのことを表すメッセージが、部屋２６−１乃至２６−８のディスプレイ装置２７−１乃至２７−８のうち、そのとき移動機２３−１が位置する部屋のディスプレイ装置（ステップＳ８４でIDが検出されたもの）に、通信回路８３から電灯線２５を介して伝送され、表示される。個別サービス構築部８７はまた、PHS制御部８０を制御し、アンテナ８１を介して無線で、移動機２３−１を呼び出させる。移動機２３−１の通信部２０２は、アンテナ２０１を介してこの呼び出し信号を受け取ると、スピーカ２０３から出力する。また、このとき、CPU２０５は、インタフェース２０８を制御し、LCD２０９にメッセージを表示させる。
【００５８】
移動機２３−１のユーザは、例えば、ヘッドフォンでオーディオ鑑賞中の場合、スピーカ２０３からの呼出音を認知することができないが、ディスプレイ装置のメッセージから電話がかかってきたことを確認できる。
【００５９】
次に、移動機２３−１（移動機２３−２，２３−３も、移動機２３−１と同様の動作を行う）の動作の詳細について、図１１のフローチャートを参照して説明する。最初に、ステップＳ１０１において、CPU２０５は、親機２１のタイミング制御部８８からの制御信号発信要求の信号を、アンテナ２０１を介して通信部２０２が受信するまで待機する。発信要求を受信したと判定された場合には、CPU２０５は、ステップＳ１０２（図６のステップＳ２に対応する）で、通信部２０２を制御し、アンテナ２０１を介して無線で応答信号を出力させる。そして、CPU２０５は、ステップＳ１０３（図６のステップＳ４に対応する）において、通信部２０２を制御し、アンテナ２０１を介して、親機２１に向けて制御信号を出力させる。
【００６０】
CPU２０５は、ステップＳ１０４において、図１０のステップＳ８５で個別サービス構築部８７が発する情報を、アンテナ２０１と通信部２０２を介して受信するまで待機する。情報を受信したと判定された場合には、ステップＳ１０５において、インタフェース２０８が、CPU２０５から情報の供給を受け、LCD２０９にそれを表示させる。
【００６１】
このようにして、ユーザは、移動機２３−１乃至２３−３を携帯することにより、家庭内の自分のいる任意の部屋２６−１乃至２６−８において、その位置に応じた情報を享受することが可能になる。
【００６２】
なお、この実施の形態は、家庭に限らず、屋内スペース全般に応用が可能である。
【００６３】
次に、本発明の情報処理システムを、美術館に適用した場合について、図１２を参照して説明する。この実施の形態では、図１の情報処理システムにおける、各部屋２６−１乃至２６−８の仕切り（壁）が取り除かれ、一つの空間内に、ディスプレイ装置２７−１乃至２７−８が配置されているとともに、センサ２４−１乃至２４−８がその近傍に配置されている。また、美術館を例にとったため、当然、ディスプレイ装置２７−１乃至２７−８や、移動機２３−１乃至２３−３に表示させる情報内容も、家庭内の場合と異なってくる。
【００６４】
この情報処理システムにおける、センサ２４−１乃至２４−８による測定動作、親機２１による移動機２３−１乃至２３−３の位置検出動作、および移動機２３−１乃至２３−３の動作は、図６乃至図９、および図１１に示した場合と同様であるので、その説明は省略する。ここでは、先述の実施の形態と異なる部分である、親機２１の情報提供動作（先述した家庭内における場合の図１０の処理に対応する部分）に関してのみ、図１３のフローチャートを参照して以下に説明する。以下に示す動作は、図１０のステップＳ８１乃至ステップＳ８５のうち、ステップＳ８４とステップＳ８５の間に、美術館内における、移動機２３−１の履歴検索の動作を挿入した内容になっている。
【００６５】
すなわち、ステップＳ１２１乃至ステップＳ１２４における動作は、図１０の、ステップＳ８１乃至ステップＳ８４における動作と同様であり、これらの処理により、移動機２３−１乃至２３−３の位置が検出される。個別サービス構築部８７は、ステップＳ１２５において、ユーザ管理部８５に、移動機２３−１乃至２３−３の移動履歴を検索させる。個別サービス構築部８７は、ステップＳ１２６（図６のステップＳ１６に対応する）に進み、ディスプレイ装置２７−１乃至２７−８のうち、ステップＳ１２４（図１０のステップＳ８４に対応する）で選択したものに対し（その近傍に移動機２３−１のユーザがいるとみなして）、通信回路８３および電灯線２５を介して、各移動機２３−１乃至２３−３の移動履歴に対応した情報を提供する。
【００６６】
例えば、移動機２３−１が、ディスプレイ装置２７−１，２７−２（センサ２４−１，２４−２）を経て、ディスプレイ装置２７−３（センサ２４−３）の位置に移動してきた場合、ディスプレイ装置２７−１，２７−２の近傍に、ディスプレイ装置２７−３の近傍に配置されている絵画の画家と同一の画家による絵画が展示されているとき、移動機２３−１のユーザは、それらの２つの絵画を見てきたものとして、それらとの比較の説明がディスプレイ装置２７−３に表示される。移動履歴から、そのユーザが、その２つの絵画を見てきていないと判定される場合、ディスプレイ装置２７−３の近傍の絵画についてだけ独立した説明をディスプレイ装置２７−３に表示させる。
【００６７】
以上のようにして、ユーザは、美術館内の公共スペースにおいて、移動機２３−１乃至２３−３を携帯することにより、各展示物に対する最も適切な説明を受けることができる。
【００６８】
なお、上記した、各実施の形態は、組み合わせて利用することも可能である。
【００６９】
【発明の効果】
以上のように、請求項１に記載の情報処理装置、請求項６に記載の情報処理方法、および請求項７に記載の記録媒体によれば、屋内の複数の所定の位置に設けられた測定手段により、位置のそれぞれにおける、無線通信機能を有する移動機の発する信号の受信感度を測定し、測定された受信感度のうち、最大受信感度を検出し、検出結果に対応して、最大受信感度を測定した位置に設けられた表示装置に、所定の情報を提供するようにしたので、屋内の任意の位置を移動する移動機のユーザに対し、その位置に応じた各種情報を提供することが可能になる。
【００７０】
また、請求項８に記載の情報処理装置、請求項９に記載の情報処理方法、および請求項１０に記載の記録媒体によれば、屋内に配置された親機からの無線の第１の信号を受信し、屋内の任意の移動位置において、親機からの第１の信号を受信したとき、屋内の複数の所定の位置に配置された受信装置であって、電灯線にそれぞれ接続され、電灯線を介する１つの命令に応じて、無線の第２の信号を受信する受信装置に対して無線の第２の信号を出力し、出力した第２の信号の受信装置の受信感度であって、親機が電灯線を介して取得した受信感度に対応して、親機が無線で提供する情報を受信するようにしたので、ユーザは、移動機を携帯することで、屋内の任意の移動位置において、親機から、その位置に応じた各種情報を享受することが可能になる。
【図面の簡単な説明】
【図１】  本発明を適用した情報処理システムの一実施の形態の構成を示すブロック図である。
【図２】図１のセンサ２４−１の形状例を示す図である。
【図３】図１のセンサ２４−１内部の構成例を示すブロック図である。
【図４】図１の親機２１の内部の構成例を示すブロック図である。
【図５】図１の移動機２３−１の内部の構成例を示すブロック図である。
【図６】図１の情報処理システムの動作を説明する図である。
【図７】図１のセンサ２４−１乃至２４−８によるパルス測定のタイミングを示す図である。
【図８】図１のセンサ２４−１乃至２４−８の動作を説明するフローチャートである。
【図９】図１の親機２１の動作を説明するフローチャートである。
【図１０】図１の親機２１の別の動作を説明するフローチャートである。
【図１１】図１の移動機２３−１の動作を説明するフローチャートである。
【図１２】本発明を適用した情報処理システムの他の実施の形態の構成を示すブロック図である。
【図１３】図１２の親機２１の動作を説明するフローチャートである。
【図１４】従来の位置捕捉システムの構成例を示すブロック図である。
【符号の説明】
１−１乃至１−３  基地局，  ２  セル，  ３−１乃至３−３  移動機，  ４−１，４−２  交換機，  ５  公衆通信網，  ６  無線呼出基地局，  ７−１乃至７−４  電話回線，  ８−１乃至８−３  ワイヤレス通信路，  ２１  親機，  ２２  セル，  ２３−１乃至２３−３  移動機，  ２４−１乃至２４−８  センサ，  ２５  電灯線，  ２６−１乃至２６−８  部屋，  ２７−１乃至２７−８ディスプレイ装置， ２８ー１乃至２８−３  ワイヤレス通信路，  ４０−１，４０−２  電極，  ４１−１，４１−２  アンテナ，  ６０−１，６０−２  受信感度測定装置，  ６１  比較器，  ６２  CPU，  ６３  通信装置，  ６４  RAM，  ６５  ROM，  ６６  クロック発生回路，  ８０  PHS制御部，  ８１アンテナ，  ８２  電話回線，  ８３  通信回路，  ８４  機器制御装置，  ８５  ユーザ管理部，  ８６  測定結果処理部，  ８７  個別サービス構築部，８８  タイミング制御部，  １０１−１乃至１０１−ｘ  測定パルス，  ２０１  アンテナ，  ２０２  通信部，  ２０３  スピーカ，  ２０４  マイクロホン，  ２０５  CPU，  ２０６  ROM，  ２０７  RAM，  ２０８  インタフェース，  ２０９  LCD，  ２１０  入力部
【図１】
0003940942.tif 000002
【図２】
0003940942.tif 000003
【図３】
0003940942.tif 000004
【図４】
0003940942.tif 000005
【図５】
0003940942.tif 000006
【図６】
0003940942.tif 000007
【図７】
0003940942.tif 000008
【図８】
0003940942.tif 000009
【図９】
0003940942.tif 000010
【図１０】
0003940942.tif 000011
【図１１】
0003940942.tif 000012
【図１２】
0003940942.tif 000013
【図１３】
0003940942.tif 000014
【図１４】
0003940942.tif 000015